(57)【要約】【課題】着信時における相手側の識別を行うことができ、またエンターテイメント性を向上することができる携帯電話機を提供する。【解決手段】着信時に基地局から送られてくる相手側電話番号と、自局の電話番号と相手側電話番号の最後の桁を加算し、その加算値の下一桁の数字に基づいてライト色を設定する。そして、その設定されたライト色に基づいて赤色ＬＥＤ２２Ｒ、緑色ＬＥＤ２２Ｇ、青色ＬＥＤ２２Ｂを駆動する。【選択図】  図１０
2004343180.tif 000002
【特許請求の範囲】
【請求項１】
第１の筐体と第２の筐体が開閉可能に構成される携帯電話機において、
前記第１の筐体と前記第２の筐体が閉成状態にあるとき外側となる面に配置されたライト部と、
着信時に前記ライト部を点灯または点滅させる制御部とを設ける一方、
前記制御部は、着信に応答して受信される相手側情報と自局の個人情報とに基づいて前記ライト部の発光色を設定することを特徴とする携帯電話機。
【請求項２】
前記制御部は、相手側電話番号と自局の電話番号とを用いて計算された値に基づいて前記ライト部の発光色を設定することを特徴とする請求項１記載の携帯電話機。
【請求項３】
前記制御部は、通話着信時、前記相手側電話番号として、基地局から送信され受信された電話番号を用いることを特徴とする請求項２記載の携帯電話機。
【請求項４】
少なくとも相手側名称と電話番号とを関連付けて記憶する電話帳メモリ部と、
前記第１の筐体と前記第２の筐体が閉成状態にあるとき前記ライト部と同一面上となるように配置された外側表示部とを設ける一方、
前記制御部は、前記ライト部の点灯または点滅時、基地局から送信され受信された電話番号に関連付けて記憶されている前記電話帳メモリ部の相手側名称を前記表示部に表示させることを特徴とする請求項３記載の携帯電話機。
【請求項５】
前記制御部は、番号非通知の通話着信時、予め設定された発光色を前記ライト部の発光色として設定することを特徴とする請求項３記載の携帯電話機。
【請求項６】
前記制御部は、第１の発光色が設定されとき、前記ライト部を所定時間経過毎に異なる色で点灯させることを特徴とする請求項１記載の携帯電話機。
【請求項７】
前記制御部は、第２の発光色が設定されとき、前記ライト部を青色で点灯させ、その後、所定時間が経過したとき、前記ライト部を赤色で点滅させると共に、その点滅間隔を所定時間経過毎に短くすることを特徴とする請求項１記載の携帯電話機。
【請求項８】
前記ライト部は、発光色の異なる複数の発光ダイオードからなり、
前記制御部は、第３の発光色が設定されたとき、前記発光ダイオードを複数駆動した状態で当該発光ダイオードの輝度を時間経過にしたがって各々変更させることを特徴とする請求項１記載の携帯電話機。
【請求項９】
第１の筐体と第２の筐体が開閉可能に構成される携帯電話機において、
前記第１の筐体と前記第２の筐体が閉成状態にあるとき外側となる面に配置され、かつ発光色の異なる複数の発光ダイオードからならなるライト部と、
前記ライト部の点灯指示を行うライトキーと、
前記ライトキーの操作に応答して前記ライト部を点灯または点滅させる制御部とを設ける一方、
前記制御部は、第３の発光色が設定された状態で前記ライトキーが操作されたとき、前記発光ダイオードを複数駆動した状態で当該発光ダイオードの輝度を時間経過にしたがって各々変更させることを特徴とする携帯電話機。
【請求項１０】
前記ライト部は、略円周上に配置された発光色の異なる複数の発光ダイオードからならなり、
前記制御部は、第４の発光色が設定されたとき、前記発光ダイオードを時計回りまたは反時計回りに順次単一駆動させることを特徴とする請求項１記載の携帯電話機。
【請求項１１】
第１の筐体と第２の筐体が開閉可能に構成される携帯電話機において、
前記第１の筐体と前記第２の筐体が閉成状態にあるとき外側となる面に配置され、かつ略円周上に配置された発光色の異なる複数の発光ダイオードからならなるライト部と、
前記ライト部の点灯指示を行うライトキーと、
前記ライトキーの操作に応答して前記ライト部を点灯または点滅させる制御部とを設ける一方、
前記制御部は、第４の発光色が設定された状態で前記ライトキーが操作されたとき、前記発光ダイオードを時計回りまたは反時計回りに順次単一駆動させることを特徴とする携帯電話機。
【請求項１２】
前記制御部は、前記ダイオードを時計回りまたは反時計回りに順次単一駆動させるとき、時間経過にしたがって前記発光ダイオードの駆動時間を短くすることを特徴とする請求項１０または請求項１１記載の携帯電話機。
【請求項１３】
前記第１の筐体と前記第２の筐体が閉成状態にあるとき前記ライト部と同一面上となるように配置された撮像部を設ける一方、
前記制御部は、前記撮像部による撮影状態において前記ライトキーが操作されたとき、予め設定された発光色によって前記ライト部を点灯させることを特徴とする請求項９または１１記載の携帯電話機。
【発明の詳細な説明】
【０００１】
【発明の属する技術分野】
本発明は、撮影機能を有した携帯電話機に関する。
【０００２】
【従来の技術】
近年、携帯電話機が広く普及しているが、その形状としてはストレートタイプ、フリップタイプ、クラムシェルタイプの３種類に大きく分類される。中でもクラムシェルタイプは折り畳んだり回転収納することによる小型化ができるため、他の２つのタイプよりニーズが高い。
【０００３】
また、最近では液晶ディスプレイの背面に液晶サブディスプレイを備えたものやカメラ機能を備えた携帯電話機が提案されている。
【０００４】
図１５は、従来のクラムシェルタイプのカメラ付携帯電話機１００を開いた状態での外観を示す斜視図である。携帯電話機１００は第１の筐体１０１と第２の筐体１０２からなり、第１の筐体１０１と第２の筐体１０２は、ヒンジ１０３を介して連結され、ヒンジ１０３を軸として角変位自在に動くことで折り畳み可能に構成されている。図１５に示すように携帯電話機１００は第１の筐体１０１には第１表示部１０４を備える。第１表示部１０４は携帯電話機１００が折り畳まれた時に内側に位置するように配置されている。第１表示部１０４（メインディスプレイ）は液晶ディスプレイやＥＬディスプレイなどで実現され、筐体内に設けられた第１表示ドライバ部を介して送られてくる画像データに基づく画像を表示する。第１の筐体１０１の背面にはアンテナ部１０５と上下可能なヘリカル部１０６を備え、第１の筐体１０１の側面には、カメラ機能の第２のシャッターボタン１０７を備える。また、第１表示部１０４の上部には通話時に使用する第１のスピーカー１０８を備える。
【０００５】
開閉検出部１０９は、携帯電話機１００が折り畳まれているか否かを検出する検出手段である。第１の筐体１０１下部のヒンジ１０３の近傍には小さな突起１０９ａが形成されており、第２の筐体１０２上部のヒンジ１０３近傍には小さな孔１０９ｂが形成されている。孔１０９ｂの内部には図示しない検出スイッチが設けられており、開閉検出部１０９は、突起１０９ａ、孔１０９ｂおよびスイッチから構成される。携帯電話機１００が折り畳まれると、第１の筐体１０１の突起１０９ａが第２の筐体１０２の孔１０９ｂに入り、図示しない検出スイッチが働き、筐体内に設けられた制御部によって携帯電話機１００が折り畳まれていることを判断する。
【０００６】
次に従来の携帯電話機１００の第２の筐体１０２について説明する。入力ボタン部１１０は、数字および文字を入力するためのキーなどから構成される。機能ボタン部１１１は携帯電話機における各種設定／機能切替を行うためのボタン群であり、電源のＯＮ／ＯＦＦ切替を行う電源ボタン１１２、後述するカメラ機能の第１のシャッターボタン１１３、メール機能とガイダンス表示を行うメール／ガイダンス用ボタン１１４、通話開始とスピーカー受話を行う開始／スピーカー受話ボタン１１５、機能選択画面での上下左右選択と決定を行う４方向ボタンと決定ボタンで構成されたマルチガイドボタン１１６から構成される。また、第２の筐体１０２の下部には送話マイク１１７を備えている。
【０００７】
一般的な携帯電話機の第２の筐体１０２の配置構成としては、ヒンジ１０３、機能ボタン群１１１、入力ボタン群１１０、送話マイク１１７の順番に配置するのが普通である。
【０００８】
図１６は、図１５に示された携帯電話機１００を背面側からの外観を示す斜視図である。第１の筐体１０１の背面は、第２表示部１２０、カメラ部１２１、ライト部１２２、既に説明したアンテナ部１０５から構成される。
【０００９】
第２表示部１２０は携帯電話機１００が折り畳まれた時に外側に位置するように配置されている。第２表示部１２０（サブディスプレイ）は液晶ディスプレイやＥＬディスプレイなどで実現され、筐体内に設けられた第２表示ドライバ部を介して送られてくる画像データに基づく画像を表示する。
【００１０】
カメラ部１２１は撮像レンズとＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子とＲＧＢの３色のカラーフィルタとを備える。カメラ部２は被写体で反射されて撮像レンズに入射した光を、カラーフィルタを通してＲＧＢの３色光にし、ＲＧＢの３色光をそれぞれ前記撮像素子に変換する。図１７に示すようにカメラ部１２１は携帯電話機１００が折り畳まれた時に外側に位置するように設けられている。
【００１１】
ライト部１２２は、カメラ部１２１で撮像する際の補助光源として使われる。一般的に、キセノン管を用いるものが多いが、最近ではＲＧＢのＬＥＤを同時発光させて、白色光を発光させて補助光源に用いるものもある。
【００１２】
第２の筐体の背面は、バッテリーを格納するバッテリー部１２３と着信音を鳴らす第２のスピーカー１２４を備えている。
【００１３】
図１７は、携帯電話機１００を折り畳んだ状態での外観斜視図を示し、図１８は、同じく携帯電話機１００を折り畳んだ状態での外観側面図である。
【００１４】
従来の携帯電話機１００を用いてカメラ撮影を行う場合の利用方法について、図１９を用いて説明する。図１９（ａ）は撮影者が被写体を撮影する場合の一般的な利用方法を示す。携帯電話機１００を開き、カメラ部１２１を被写体に向け、撮影者は第１表示部１０４をファインダーとして利用する。図１９（ｂ）は撮影者が撮影者自身を撮影する場合の一般的な利用方法を示す。この場合、撮影者は第２表示部１２０をファインダーとして利用することにより、撮影画像を確認しながら撮影をすることが可能である。一般的な携帯電話機では、第２表示部１２０で表示する際には、画面確認時の違和感をなくすため、画像を左右反転させ、鏡のように表示することが多い。図１９（ａ）において、シャッターボタンは第１のシャッターボタン１１３または、第１の筐体１０１の側面に備えた第２のシャッターボタン１０７のいずれかを使用することが可能である。図１９（ｂ）では、携帯電話機１００を折り畳んだ状態で第２のシャッターボタン１０７を使用して撮影しているが、開いた状態でも撮影可能である。その場合は、第１の筐体１０１側面に配置された第２のシャッターボタン１０７を使用すればよい。
【００１５】
また、ライト部１２２は、カメラ部１２１で撮像する際の補助光源のほかに、通話着信やメール着信の報知に用いるようにしたものもあり、さらに、特開２００１−１１１６５６号公報に示されるように、着信ランプの発光色や光の強さを使用者が自由に設定できるようにした電話装置が提案されていた。
【００１６】
【特許文献１】
特開２００１−１１１６５６号公報
【００１７】
【発明が解決しようとする課題】
ところが、ライト部１２２を通話着信やメール着信の報知に用いるようにしたものでは、通話着信時とメール着信時とでライト部１２２の発光色を個別に設定することができ、ライト部１２２の発光色によって通話着信であるかメール着信であるかの区別は可能だが、相手側に関する識別を行うことができないといった問題点があった。
【００１８】
また、着信ランプの発光色や光の強さを使用者が自由に設定できるようにしたものでは、通話着信時およびメール着信時に相手側の識別を行うことができるものの、事前に電話番号と着信ランプの発光色とを登録する必要があるため、電話帳の件数が多い場合には繁雑な操作を要するといった問題点があった。
【００１９】
さらに、何れの場合にも、通話着信時とメール着信時とで点灯する発光色はユーザが事前に設定するものであり、また単一色であるため、通話着信時およびメール着信時におけるエンターテイメント性に欠け退屈であるといった問題点があった。
【００２０】
本発明は、繁雑な操作を要することなく、通話着信時における相手側の識別を行うことができ、またエンターテイメント性を向上することができる携帯電話機を提供することを目的とするものである。
【００２１】
【課題を解決するための手段】
上記目的を達成するために、本発明は、第１の筐体と第２の筐体が開閉可能に構成される携帯電話機において、前記第１の筐体と前記第２の筐体が閉成状態にあるとき外側となる面に配置されたライト部と、着信時に前記ライト部を点灯または点滅させる制御部とを設ける一方、前記制御部が、着信に応答して受信される相手側情報と自局の個人情報とに基づいて前記ライト部の発光色を設定するよう構成したものである。
【００２２】
また、本発明は、前記の構成に加え、前記制御部が、相手側電話番号と自局の電話番号とを用いて計算された値に基づいて前記ライト部の発光色を設定するよう構成したものである。
【００２３】
さらに、本発明は、前記の構成に加え、前記制御部が、通話着信時、前記相手側電話番号として、基地局から送信され受信された電話番号を用いるよう構成したものである。
【００２４】
また、本発明は、前記の構成に加え、少なくとも相手側名称と電話番号とを関連付けて記憶する電話帳メモリ部と、前記第１の筐体と前記第２の筐体が閉成状態にあるとき前記ライト部と同一面上となるように配置された外側表示部とを設ける一方、前記制御部が、前記ライト部の点灯または点滅時、基地局から送信され受信された電話番号に関連付けて記憶されている前記電話帳メモリ部の相手側名称を前記表示部に表示させるよう構成したものである。
【００２５】
また、本発明は、前記の構成に加え、前記制御部が、番号非通知の通話着信時、予め設定された発光色を前記ライト部の発光色として設定するよう構成したものである。
【００２６】
また、本発明は、前記の構成に加え、前記制御部が、第２の発光色が設定されとき、前記ライト部を青色で点灯させ、その後、所定時間が経過したとき、前記ライト部を赤色で点滅させると共に、その点滅間隔を所定時間経過毎に短くするよう構成したものである。
【００２７】
また、本発明は、前記の構成に加え、前記ライト部が、発光色の異なる複数の発光ダイオードからなり、前記制御部が、第３の発光色が設定されたとき、前記発光ダイオードを複数駆動した状態で当該発光ダイオードの輝度を時間経過にしたがって各々変更させるよう構成したものである。
【００２８】
また、本発明は、前記の構成に加え、第１の筐体と第２の筐体が開閉可能に構成される携帯電話機において、前記第１の筐体と前記第２の筐体が閉成状態にあるとき外側となる面に配置され、かつ発光色の異なる複数の発光ダイオードからならなるライト部と、前記ライト部の点灯指示を行うライトキーと、前記ライトキーの操作に応答して前記ライト部を点灯または点滅させる制御部とを設ける一方、前記制御部が、第３の発光色が設定された状態で前記ライトキーが操作されたとき、前記発光ダイオードを複数駆動した状態で当該発光ダイオードの輝度を時間経過にしたがって各々変更させるよう構成したものである。
【００２９】
また、本発明は、前記の構成に加え、前記ライト部が、略円周上に配置された発光色の異なる複数の発光ダイオードからならなり、前記制御部が、第４の発光色が設定されたとき、前記発光ダイオードを時計回りまたは反時計回りに順次単一駆動させるよう構成したものである。
【００３０】
また、本発明は、前記の構成に加え、第１の筐体と第２の筐体が開閉可能に構成される携帯電話機において、前記第１の筐体と前記第２の筐体が閉成状態にあるとき外側となる面に配置され、かつ略円周上に配置された発光色の異なる複数の発光ダイオードからならなるライト部と、前記ライト部の点灯指示を行うライトキーと、前記ライトキーの操作に応答して前記ライト部を点灯または点滅させる制御部とを設ける一方、前記制御部が、第４の発光色が設定された状態で前記ライトキーが操作されたとき、前記発光ダイオードを時計回りまたは反時計回りに順次単一駆動させるよう構成したものである。
【００３１】
また、本発明は、前記の構成に加え、前記制御部が、前記ダイオードを時計回りまたは反時計回りに順次単一駆動させるとき、時間経過にしたがって前記発光ダイオードの駆動時間を短くするよう構成したものである。
【００３２】
さらに、本発明は、前記の構成に加え、前記第１の筐体と前記第２の筐体が閉成状態にあるとき前記ライト部と同一面上となるように配置された撮像部を設ける一方、前記制御部が、前記撮像部による撮影状態において前記ライトキーが操作されたとき、予め設定された発光色によって前記ライト部を点灯させるよう構成したものである。
【００３３】
したがって、本発明によれば、着信時において、第１の筐体と前記第２の筐体が閉成状態にあるとき外側となる面に配置されたライト部を、その着信に応答して受信される相手側情報と自局の個人情報とに基づく発光色によって点灯または点滅させることにより、相手側とユーザとの関係を意識した着信報知を行うことができる。
【００３４】
また、本発明によれば、ライト部の点灯または点滅時において、第１の筐体と前記第２の筐体が閉成状態にあるときにライト部と同一面上となるように配置された外側表示部に、着信に応答して受信される相手側情報に対応して記憶された電話帳メモリ部の相手側名称を表示させることにより、相手側とユーザとの関係を意識した着信報知を行うときに、その相手側を確実に報知することができる。
【００３５】
また、本発明によれば、第１の発光色が設定されとき、ライト部を所定時間経過毎に異なる色で点灯させることにより、様々な発色による発光を行うことができる。
【００３６】
また、本発明によれば、第２の発光色が設定されとき、ライト部を青色で点灯させ、その後、所定時間が経過したとき、ライト部を赤色で点滅させると共に、その点滅間隔を所定時間経過毎に短くすることにより、カラータイマのような発光を行うことができる。
【００３７】
また、本発明によれば、第３の発光色が設定されたとき、ライト部を構成する発光色の異なる複数の発光ダイオードを複数駆動した状態で当該発光ダイオードの輝度を時間経過にしたがって各々変更させることにより、グラデーション発光を行うことができる。
【００３８】
また、本発明によれば、第４の発光色が設定されたとき、ライト部を構成する略円周上に配置された発光色の異なる複数の発光ダイオードを時計回りまたは反時計回りに順次単一駆動させることにより、サイクロン式の発光を行うことができる。
【００３９】
また、本発明によれば、ダイオードを時計回りまたは反時計回りに順次単一駆動させるとき、時間経過にしたがって発光ダイオードの駆動時間を短くすることにより、サイクロン式発光のエンターテイメント性を高めることができる。
【００４０】
さらに、本発明によれば、撮像部による撮影状態においてライトキーが操作されたとき、予め設定された発光色によってライト部を点灯させることにより、特殊な発光を行った状態で撮影を行うことができる。
【００４１】
【発明の実施の形態】
この発明の実施の形態について図面を参照し説明する。図１は本発明の実施の一形態であるクラムシェルタイプのカメラ付携帯電話機１を開いた状態での外観を示す斜視図である。携帯電話機１は第１の筐体２と第２の筐体３からなり、第１の筐体２と第２の筐体３は、ヒンジ４を介して連結され、ヒンジ４を軸として角変位自在に動くことで折り畳み可能に構成されている。図１に示すように携帯電話機１は第１の筐体２には第１表示部５を備える。第１表示部５は携帯電話機１が折り畳まれた時に内側に位置するように配置されている。第１表示部５は液晶ディスプレイやＥＬディスプレイなどで実現され、後述する第１表示ドライバ部４３を介して送られてくる画像データに基づく画像を表示する。また、第１表示部５の上部には通話時に使用する第１のスピーカー６を備える。
【００４２】
次に本発明の実施の一形態である携帯電話機１の第２の筐体３について説明する。入力ボタン群７は、数字および文字を入力するためのキーなどから構成される。機能ボタン群８は携帯電話機における各種設定／機能切替を行うためのボタン群であり、電源のＯＮ／ＯＦＦ切替を行う電源ボタン９、後述するカメラ機能の第１のシャッターボタン１０、メール機能とガイダンス表示を行うメール／ガイダンス用ボタン１１、通話開始とスピーカー受話を行う開始／スピーカー受話ボタン１２、機能選択画面での上下左右選択と決定を行う４方向ボタンと決定ボタンで構成されたマルチガイドボタン１３から構成される。また、第２の筐体１０２の下部には送話マイク１４を備えている。
【００４３】
携帯電話機１の第２の筐体３の配置構成としては、ヒンジ４、機能ボタン群８、入力ボタン群７、送話マイク１４の順番に配置するのが普通であるが、これに限定されるものではない。
【００４４】
図２は、図１に示された携帯電話機１を背面側からの外観を示す斜視図であり、図３は携帯電話機１を折り畳んだ状態での外観斜視図である。図２または図３に示すように、第１の筐体２の背面は、ヒンジ４側から順番にカメラ部２１とライト部２２が並んで配置され、第２表示部２０、第２のシャッターボタン２３および第２の操作ボタン群２４が続いて配置される。
【００４５】
第２表示部２０は携帯電話機１が折り畳まれた時に外側に位置するように配置される。第２表示部２０は液晶ディスプレイやＥＬディスプレイなどで実現される。後述する第２表示ドライバ部４４を介して送られてくる撮像画像や時刻情報、電波強度、メール受信表示等のキャラクタ画像の画像データに基づく画像を表示する。これらの画像を表示する際に、第２表示ドライバ部４４から第２表示部２０に送られてくる画像データは、表示した時にヒンジ４方向が上になるように表示される。第２表示部２０は、ヒンジ４方向が上になるように画像表示を行うことにより、ユーザーは携帯電話機１を折り畳んだ状態で使用する際に、ヒンジを上に向けて使用することになり、ユーザーが携帯電話機１を開いた状態でも閉じた状態でも第２の筐体３の向きが変わらない。言い換えれば、携帯電話機１を開いたり閉じたりするたびに、携帯電話機１の向きを変えたり持ち替えたりする必要がなくなり、操作性および利便性が向上する。第２表示部２０での画像表示には撮像画像も含まれ、撮像画像を見る場合にも、携帯電話機１の向きを変えたり持ち替えたりする必要がなくなり、操作性および利便性が向上する。
【００４６】
また、後述するようにアンテナを第１の筐体２の背面から別の場所に移したことにより、第１の筐体２の背面に制約がなくなり、従来よりも大きなサイズの第２表示手段２０を設けることができ、テキストや撮像画像の大量の情報表示が可能である。さらに第２の操作ボタン群２４を設けることにより、携帯電話機１を閉じた状態であっても、メールの内容確認や住所録の参照、複数画像の順次表示等のさまざまな表示が第２表示部２０にて可能になる。第２表示部２０での画像表示には撮像画像も含まれ、ユーザーは撮像画像を折り畳んだ状態でも第２表示部２０にて大きな画面で確認することができる。従って、撮像画像を見る場合にも、携帯電話機１を開いたり閉じたりする必要がなくなり、操作性および利便性が向上する。
【００４７】
カメラ部２１は撮像レンズとＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子とＲＧＢの３色のカラーフィルタとを備える。カメラ部２１は被写体で反射されて撮像レンズに入射した光を、カラーフィルタを通してＲＧＢの３色光にし、ＲＧＢの３色光をそれぞれ前記撮像素子に変換する。図２に示すようにカメラ部２１は携帯電話機１が折り畳まれた時に外側にあって、ヒンジ４と第２表示部との間に位置するように設けられている。ユーザーは携帯電話機１を開いて撮影する時には、第２の筐体３を持って撮影する。カメラ部２１は上記配置により、結果的にヒンジ４の近くに設けられるので、第１の筐体２を持つ時、カメラ部２１の近辺を支持することから、撮影時にユーザーによる手ブレの影響を減少させることができる。しかも、アンテナを第１の筐体２の背面から除いたことによる大きな第２表示部２０によって、被写体撮影時に、被写体からも大きな画面にて手ブレの少ない自画像を容易に確認することができる。
【００４８】
ライト部２２は、図５に示すようにライト部２２の中央を中心として略円周上に配置された赤色のＬＥＤ２２Ｒと緑色のＬＥＤ２２Ｇと青色のＬＥＤ２２Ｂからなる。そして、赤色のＬＥＤ２２Ｒを発光させることで赤色光を、また緑色のＬＥＤ２２Ｇを発光させることで緑色光を、また青色のＬＥＤ２２Ｂを発光させることで青色光を、また赤色のＬＥＤ２２Ｒと緑色のＬＥＤ２２Ｇを同時発光させることで黄色光を、また緑色のＬＥＤ２２Ｇと青色のＬＥＤ２２Ｂを同時発光させることで水色光を、また青色のＬＥＤ２２Ｂと赤色のＬＥＤ２２Ｒを同時発光させることで紫色光を、また全てのＬＥＤ２２Ｒ，２２Ｇ，２２Ｂを同時発光させることで白色光を発光させることができ、さらに発光パターンを取り決めることで単色以外の発光動作を行うことができるようになっている。
【００４９】
すなわち、赤色のＬＥＤ２２Ｒの発光、赤色のＬＥＤ２２Ｒと緑色のＬＥＤ２２Ｇの同時発光、緑色のＬＥＤ２２Ｇの発光、緑色のＬＥＤ２２Ｇと青色のＬＥＤ２２Ｂの同時発光、青色のＬＥＤ２２Ｂの発光、青色のＬＥＤ２２Ｂと赤色のＬＥＤ２２Ｒを同時発光、赤色のＬＥＤ２２Ｒの発光（その後は繰返し）という発光パターンを取り決め、所定時間経過毎に発光させることで、ミックス発光（第１の発光色）を行うことができる。
【００５０】
また、青色のＬＥＤ２２Ｂを発光させ、その後、所定時間が経過したとき、赤色のＬＥＤ２２Ｒを間欠発光させると共に、その点灯間隔を所定時間経過毎に短くするという発光パターンを取り決めることで、カラータイマーのようなタイマー発光（第２の発光色）を行うことができる。
【００５１】
また、全てのＬＥＤ２２Ｒ，２２Ｇ，２２Ｂを同時発光させた状態で、それぞれのＬＥＤ２２Ｒ，２２Ｇ，２２Ｂに流れる電流を制御することで輝度を時間経過にしたがって各々個別に変更させることで、グラデーション発光のようなレインボー発光（第３の発光色）を行うことができる。
【００５２】
また、赤色のＬＥＤ２２Ｒの発光、緑色のＬＥＤ２２Ｇの発光、青色のＬＥＤ２２Ｂの発光、赤色のＬＥＤ２２Ｒの発光（その後は繰返し）という発光パターンを取り決め、所定時間経過毎にその発光間隔を短くすることで、ライト部２２が回転発光するようなサイクロン発光（第４の発光色）を行うことができる。
【００５３】
そして、ライト部２２の点灯は、通話着信中ならびにメール受信完了後の所定期間に行われる。また、待受状態ならびに撮影状態における第２の操作ボタン２４ｂの長押し操作によっても開始され、このとき、点灯状態における第２の操作ボタン２４ｂの長押し操作または所定時間の経過によって停止されるようになっており、さらに点灯状態における第２の操作ボタン２４ｂの短押し操作またはメニュー画面からライト色の変更を選択することでライト色の変更が行われるようになっている。
【００５４】
第２のシャッターボタン２３は、第１の筐体２の背面中央に配置され、図３に示す携帯電話機１を折り畳んだ状態では第２表示部２０の下側に位置する。この位置に第２のシャッターボタン２３を配置することにより、ユーザーは折り畳んだ状態で簡単にシャッターボタン位置を確認し、容易に撮影することができる。また、従来機種のように第１の筐体の側面等に小さく設けられた、位置の確認しづらいシャッターボタンを探す必要がなくなり、操作性および利便性が向上する。
【００５５】
また、第２のシャッターボタン２３の両横には第２表示部３を用いて各種設定／操作を行うための第２の操作ボタン群２４ａ，２４ｂが設けられている。第２の操作ボタン群は、第２表示部２０と連動して、各種機能設定，アドレス帳の表示／検索，メールの確認／表示／発信を操作することができる。また、撮影時のズーム操作や複数の撮像画像の順送り／逆送り、ライトの点灯開始や発光色の変更等を操作することができる。
【００５６】
この位置に第２の操作ボタン群２４を配置することにより、ユーザーは折り畳んだ状態で簡単に第２の操作ボタン群２４位置を確認し、容易に第２の操作ボタン群２４を操作することができる。
【００５７】
図２に戻り、第２の筐体３の背面にはアンテナ部２５と上下可能なヘリカル部２６、バッテリーを格納するバッテリー部２７と着信音を鳴らす第２のスピーカー２８を備えている。
【００５８】
図３は、携帯電話機１を折り畳んだ状態での外観斜視図を示し、図４は、同じく携帯電話機１を折り畳んだ状態での外観側面図である。以下、図３、図４を用いて説明を続ける。
【００５９】
第１の筐体２はヒンジ４を通して第２の筐体３と機構的に接続されるが、ヒンジ４内には第１の筐体２と第２の筐体３を電気的に接続するための可撓性基板が組み込まれている。第１の筐体２のヒンジ付近には可撓性基板やケーブルを第１の筐体２内に設けられた各種基板に接続するためのコネクターがあり、このコネクターの厚みが第１の筐体２の厚みに最も影響する。一方、カメラ部２１の厚みは前記コネクターの厚みよりも薄いため、前記コネクター近辺にカメラ部２１を配置しても、第１の筐体２の厚みには影響しない。したがって、従来の携帯電話機は、カメラ部が第１の筐体２の先端付近（図３での下方付近）に配置されていたために、カメラ部の厚みによって、アンテナ部を除いた第１の筐体２の先端付近の厚みが決まっていたが、カメラ部をアンテナ部２５と第２表示部２０の間、すなわちヒンジ４付近に配置したことから第１の筐体２の中央部は第２表示部２０の厚みを確保し、第１の筐体２の先端付近に至ってはさらなる薄型化／小型化が可能になった。図４に示すように、第１の筐体２は中央部から先端部にかけて曲線状に厚みが狭まっているが、折り畳んだ状態で携帯電話機１の下部に相当する第１の筐体２の先端付近が薄型化される形状にすることにより、ユーザーが洋服のポケット等に携帯電話機１を収納する際に収納しやすく、利便性が向上している。
【００６０】
また、カメラ部２１と第２のシャッターボタン２３または第２の操作ボタン群２４の間に第２表示部を配置することによりカメラ部２１と第２のシャッターボタン２３または第２の操作ボタン群２４の間に一定の距離が保てる。ユーザーが第２のシャッターボタン２３または第２の操作ボタン群２４を操作する際に、ユーザーの指が誤ってカメラ部２１に触れたり、カメラ部２１の視界を遮ることを防ぐことができる。ユーザーの指がカメラ部２１に触れて、レンズ等の部品に傷やゴミが付くことを防ぐことは、結果として携帯電話機の耐久性の向上ならびに性能維持が図られる。
【００６１】
さらに、折り畳んだ状態でヒンジ４側を上にして持つように構成することにより、ユーザーが折り畳んだ状態で携帯電話機１を持った時に、ユーザーの手でカメラ部２１を塞ぐことがなくなり、カメラ部２１の位置を気にせずに携帯電話機１を持つことができる。
【００６２】
本発明の実施の一形態である携帯電話機１を用いてカメラ撮影を行う場合の利用方法を、図６を用いて説明する。図６（ａ）は撮影者が被写体を撮影する場合の一般的な利用方法を示す。携帯電話機１を開き、カメラ部２１を被写体に向け、撮影者は第１表示部５をファインダーとして利用する。シャッターボタンは第１のシャッターボタン１０を使用するが、第１の筐体２の背面に備えた第２のシャッターボタン２３を使用することも可能である。図６（ｂ）は撮影者が撮影者自身を撮影する場合の一般的な利用方法を示す。この場合、撮影者は第２表示部２０をファインダーとして利用することにより、撮影画像を確認しながら撮影をすることが可能である。
【００６３】
一般的な携帯電話機では、第２表示部２０で表示する際には、画面確認時の違和感をなくすため、画像を左右反転させ、鏡のように表示することが多いがそれに限定されるものではない。なお、本発明の実施の一形態である携帯電話機１では、携帯電話機１を開いた状態でも利用者自身を撮影可能だが、わざわざ開くよりも、折り畳んだ状態で撮影した方が使い勝手がよい。
【００６４】
尚、携帯電話機１のアンテナ部２５としては、アンテナ部２５のホイップ部を第２の筐体３内の左端側に格納可能に、またヘリカル部を筐体外に露出するように構成し、そのホイップ部とヘリカル部を、通話時の電波強度に応じて第２の筐体３から引き出し可能にするとよい。また、必ずしも上記ホイップ部とヘリカル部で構成されるアンテナに限定される必要はなく、例えば、逆Ｆ型内蔵アンテナを第２の筐体３のヒンジ４近く上部、もしくは第１の筐体２の上部に配置してもよい。
【００６５】
次に携帯電話機１の内部回路について、内部ブロック図である図７とともに説明する。制御部４０は携帯電話機１を構成する各部位の動作を制御する制御手段、シャッターボタン制御手段、バックライト制御手段、ライト制御手段および表示制御手段である。画像処理部４１は、増幅部、Ａ／Ｄ（アナログ／デジタル）変換部、信号処理部からなる。増幅部は、カメラ部２１から送られてくるＲＧＢに対応した電気信号を増幅し、Ａ／Ｄ変換部に送る。Ａ／Ｄ変換部は増幅部で変換されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部４０から送られてくる制御信号に基づいて、信号処理を施した画像データを第１メモリ４２に送る。カメラ部２１および画像処理部４１は、入射光を電気信号に変換して画像データとして出力する撮像手段である。第１メモリ４２は、信号処理部から連続的に送られてくる画像データを一時的に記憶している。たとえば、時間的に古い画像データは消去する、あるいは最も新しい画像データを上書きすることで一時的に記憶する。
【００６６】
制御部４０は、第１および第２表示ドライバ部４３，４４に制御信号を送信するとともに、第１メモリ４２に記憶された画像データを、第１および第２表示ドライバ部４３，４４に送る。第１および第２ドライバ部４３，４４は、第１および第２表示部５，２０に表示しようとする画像データに従って、第１および第２表示部５，２０の各画素電極に対して駆動電圧を印加する。
【００６７】
第１および第２バックライト４５，４６は発光素子である発光ダイオードなどから構成され、第１および第２表示部５，２０に光を当てて輝度を増加させる。第１および第２バックライト４５，４６の点灯、消灯の制御および輝度調整などの制御は、制御部４０によって行われる。また、第１および第２バックライト４５，４６は各々独立して制御することが可能であり、画像が第１表示部５に表示されている時は第１バックライト４５が、第２表示部２０に表示されている場合は第２バックライト４６が点灯するように制御される。なお、第１および第２バックライト４５，４６はユーザーによって消灯するための所定の操作が行われるまで点灯する構成としてもよいし、点灯してから所定時間が経過すると消灯する構成としてもよい。
【００６８】
第１の操作ボタン群４７は前述した第２の筐体３の入力ボタン群７と機能ボタン群８から構成される。第２の操作ボタン群は前述したように第１の筐体２に設置されている。
【００６９】
第１および第２のシャッターボタン１０，２３は、第１メモリ４２に連続的に送られ、一時的に記憶されている画像データの中からユーザーが保存を希望する画像データを、第２メモリ４８に記憶させる時に、ユーザーによって操作され、記憶させる旨の指示信号を制御部４０に出力する。制御部４０は第１および第２のシャッターボタン１０，２３からの指示信号に応答して、第１メモリ４２に記憶されている画像データを第２メモリ４８に記憶させる。なお、第２メモリ４８は、第１メモリ４２に記憶されている画像データ、およびアンテナ部２５を介して受信した各種受信データを記憶する受信手段である。また、第２のシャッターボタン２３は図３に示すように、第２表示部２０の下部に携帯電話機１が折り畳まれた時に外側に位置するように配置されている。第１のシャッターボタン１０は図１に示すように、機能ボタン群８に配置されている。第１のシャッターボタン１０は独立して配置されてもよいし、他の機能ボタンと兼用してもよい。
【００７０】
開閉検出部４９は携帯電話機１が折り畳まれているか否かを検出する検出手段である。ヒンジ４内部に図示しない検出スイッチが設けられており、開閉状態に応じて信号が制御部４０に送られ、制御部４０によって携帯電話機１が折り畳まれているかどうかを判断する。
【００７１】
アンテナ部２５は、無線電波を介して基地局と無線通信を行うときに、音声データ、文字データおよび画像データなどを送受信する。無線部５０は、受信時は、基地局からアンテナ部２５を介して受信したデータを復調し、送信時は、通信制御部５１から送られてくる文字データおよび画像データを所定のプロトコルに基づいて制御部４０に送る。無線部５０、通信制御部５１を介して受信した相手先からの受信データは、第２メモリ４８に記憶される。図７に示す本発明の実施の一形態である携帯電話機１はテレビジョン信号も受信可能であり、アンテナ部２５から、無線通信用電波とテレビジョン放送信号波を分離するための分波器５２を備えている。分波器５２は無線通信用電波を無線部５０に、テレビジョン信号放送波をチューナー５３に送る。テレビジョン信号放送波を受信したチューナー５３は、信号処理回路に受信したチャンネルの信号を信号処理回路５４に送る。信号処理回路５４で映像信号、音声信号に分離し、映像信号は第１または第２表示部５，２０に、音声信号は第１または第２のスピーカー８，２８にて出力される。
【００７２】
制御部４０は、第１メモリに一時的に保存されている画像データに基づく画像を表示する表示部を、開閉検出部４９の検出結果に基づいて切り換える。開閉検出部４９によって、携帯電話機１が折り畳まれていることが検出された場合、制御部４０は、第１メモリ４２からの画像データを第２表示ドライバ部４４に出力し、第２表示部２０に画像を表示させる。開閉検出部４９によって、携帯電話機１が折り畳まれていない（開いている）ことが検出された場合、制御部４０は、第１メモリ４２からの画像データを第１表示ドライバ部４３に出力し、第１表示部５に画像を表示させる。
【００７３】
前述のようにカメラ部２１は、携帯電話機１が折り畳まれたときの外側に設けられているので、携帯電話機１のユーザー以外の被写体を撮像するときは、図５（ａ）に示すように、ユーザーは、携帯電話機１を開いた状態でカメラ部２１をユーザーと反対側にある被写体側に向けて撮像する。この状態では、携帯電話機１が開いていること、すなわち折り畳まれていないことが開閉検出部４９によって検出され、カメラ部２１から出力された画像データに基づく画像が第１表示部５に表示される。これによって、ユーザーは第１表示部５を撮像時のファインダーとして使用することができる。
【００７４】
一方、ユーザー自身を被写体として撮像するときは、図６（ｂ）に示すように、ユーザーは、携帯電話機１を折り畳んだ状態でカメラ部２１をユーザー側に向けて撮像する。この状態では、携帯電話機１が折り畳まれていることが開閉検出部４９によって検出され、カメラ部２１から出力された画像データに基づく画像が第２表示部２０に表示される。これによって、ユーザーは第２表示部２０を撮影時のファインダーとして使用することができる。
【００７５】
本発明の実施の一形態である携帯電話機１は、ユーザーが携帯電話機１の第２の筐体３を固定したまま、第１の筐体２を折り畳むもしくは開くだけで、撮像時にファインダーとして使用する表示部５，２０が適切に切り換わり、撮影可能となるので、ユーザーは被写体を切り替えるために、従来の携帯電話のように第２の筐体３を持ち替える必要がなくなり、被写体を切り替える際のユーザーの手間を省くことができ、操作性および利便性が向上する。
【００７６】
次に、第１および第２シャッターボタン１０，２３の制御について説明する。
【００７７】
制御部４０は、開閉検出部４９の検出結果に基づいて、入力が有効なシャッターボタンを切り換える。開閉検出部４９によって、携帯電話機１が折り畳まれていることが検出された場合、制御部４０は、第２シャッターボタン２３の入力を有効とする。開閉検出部４９によって、携帯電話機１が開いていることが検出された場合、制御部４０は、第１シャッターボタン１０の入力を有効とし、第２シャッターボタン２３の入力を無効とする。第１および第２シャッターボタン１０，２３の入力を無効とするには、たとえば、第１および第２シャッターボタン１０，２３をユーザーが操作できないように固定する、第１および第２シャッターボタン１０，２３を固定せずに、第１および第２シャッターボタン１０，２３から制御部４０への指示信号を出力しないようにする、制御部４０が第１および第２シャッタボタン１０，２３からの指示信号を処理しないようにするなどの方法で実現できる。
【００７８】
前述のようにカメラ部２１は、携帯電話機１が折り畳まれたときの外側に設けられているので、携帯電話機１のユーザー以外の被写体を撮像するときは、ユーザーは、携帯電話機１を開いた状態でカメラ部２１をユーザーと反対側にある被写体側に向けて撮像する。この状態では、携帯電話機１が開いていることが開閉検出部４９によって検出され、第１シャッターボタン１０からの指示が有効となる。ユーザーは、ファインダーである第１表示部５を見ながら、第１表示部５と同じ側に配置されている第１シャッタボタン１０を操作する。
【００７９】
一方、ユーザー自身を被写体として撮像するときは、本発明の実施の一形態では、ユーザーが携帯電話機１を折り畳んだ状態でカメラ部２１をユーザー側に向けて撮像することが可能である。この状態では、携帯電話機１が折り畳まれていることが開閉検出部４９によって検出され、第２シャッタボタン２３からの指示が有効となる。ユーザーは、ファインダーである第２表示部２０を見ながら、第２表示部２０と同じ側に配置されている第２シャッターボタン２３を操作する。
【００８０】
このように、携帯電話機１を折り畳むもしくは開くだけでファインダーとして使用する第１または第２表示部５，２０と同じ側に位置する第１または第２シャッターボタン１０，２３からの指示が有効となるので、ユーザーは第１または第２シャッターボタン１０，２３を見て確認しながら入力することができ、操作性が向上する。
【００８１】
また一般的に、ファインダーとして使用する表示部と反対側に位置するシャッターボタンは、ユーザーから見え難いために、ユーザーが携帯電話機１を把持するときやシャッターボタンの入力以外の操作を行うときに誤って入力してしまう場合がある。本発明の実施の一形態では、携帯電話機１を開くだけでファインダーとして使用する第１表示部５と反対側に位置する第２シャッターボタン２３からの指示が無効になるので、ユーザーによる誤操作を防止することができる。
【００８２】
なお、携帯電話機１が開いていることが検出されたときに、第２シャッターボタン２３の入力を無効とせず有効としてもよい。この場合、ユーザーは第１および第２シャッターボタン１０，２３のどちらも操作することができる。また、第１シャッターボタン１０は、折り畳まれたときの内側に配置されているので、携帯電話機１が折り畳まれているときにはユーザーが操作できない。したがって、開閉検出部４９によって、携帯電話機１が折り畳まれていることが検出されたときの第１シャッターボタン１０の入力は、無効または有効のいずれとしてもよい。
【００８３】
第１および第２バックライト４５，４６の制御について説明する。
【００８４】
制御部４０は、開閉検出部４９の検出結果に基づいて、第１および第２バックライト４５，４６の点灯、消灯を切り換える。開閉検出部４９によって、携帯電話機１が折り畳まれていることが検出された場合、制御部４０は、第２バックライト４６を点灯し、第２表示部２０の輝度を増加させる。開閉検出部４９によって、携帯電話機１が開いていることが検出された場合、制御部４０は、第１バックライト４５を点灯し、第１表示部５の輝度を増加させる。
【００８５】
前述のように、ユーザーが被写体をユーザー自身以外として撮像するときは、第１表示部５がファインダーとして使用され、カメラ部２１から取り込まれた画像データが第１表示部５に表示される。このとき、第１バックライト４５が点灯し、第１表示部５の輝度を増加させる。
【００８６】
一方、ユーザーが被写体をユーザー自身として撮像するときは、第２表示部２０がファインダーとして使用され、カメラ部２１から取り込まれた画像データが第２表示部２０に表示される。このとき、第２バックライト４６が点灯し、第２表示部２０の輝度を増加させる。
【００８７】
このように、携帯電話機１を折り畳む、もしくは開くと、ファインダーとして使用する表示部に光を供給するバックライトが点灯するので、表示された画像が見やすくなり、視認性が向上する。
【００８８】
図８は、携帯電話機１の撮像処理を示すフローチャートである。特に、携帯電話機１を折り畳んで撮影した際に、撮像画像を１８０度回転させることについて説明する。なお、携帯電話機１は、折り畳まれた状態からでも、開いた状態からでも所定の操作によって撮像可能な状態、いわゆる撮像モードに設定することができる。
【００８９】
まず、ステップＳ１では、制御部４０が、開閉検出部４９の検出結果に基づいて携帯電話機１が折り畳まれているか否かを判断する。折り畳まれずに開いていればステップＳ２に進み、折り畳まれていればステップＳ８に進む。ステップＳ２では、第１バックライト４５を点灯する。ステップＳ３では、撮像部２から取り込んだ画像データを第１表示部５に表示し、ステップＳ４に進む。
【００９０】
ステップＳ４では、制御部４０が、開閉検出部４９の検出結果に基づいて携帯電話機１が折り畳まれているか否かを判断する。開いていればステップＳ５に進み、折り畳まれていれば第１バックライト４５の点灯及び第１表示部５への画像表示を中止し、ステップＳ８に進む。
【００９１】
ステップＳ５では、制御部４０が、第２シャッターボタン２３の入力を無効にし、第１シャッターボタン１０が押されたか否かを検出する。押されていればステップＳ６に進み、押されていなければステップＳ７に進む。ステップＳ６では、第１メモリ４２に一時的に記憶されている画像データを第２メモリ４８に記憶してステップＳ７に進む。ステップＳ７では、制御部４０が、撮像モードを終了する所定の操作がユーザーによって行われたか否かを判断する。操作が行われていれば処理を終了し、行われていなければステップＳ４に戻る。撮像モードが終了すると、第１および第２表示部５，２０には所定の待受画面などが表示される。
【００９２】
ステップＳ１で、制御部４０によって携帯電話機１が折り畳まれていると判断されていればステップＳ８に進んで、第２バックライト４６を点灯する。ステップＳ９では、カメラ部２１から取り込んだ画像データを第２表示部２０に表示し、ステップＳ１０に進む。
【００９３】
ステップＳ１０では、制御部４０が、開閉検出部４９の検出結果に基づいて携帯電話機１が折り畳まれているか否かを判断する。開いていれば第２バックライト４６の点灯及び第２表示部２０への画像表示を中止し、ステップＳ２に進み、折り畳まれていればステップＳ１１に進む。
【００９４】
ステップＳ１１では、制御部４０が、第２シャッターボタン２３が押されたか否かを検出する。押されていればステップＳ１２に進み、押されていなければステップＳ１３に進む。ステップＳ１２では、第１メモリ４２に一時的に記憶されている画像データを１８０度回転したものを第２メモリ４８に記憶してステップＳ１３に進む。
【００９５】
これは携帯電話機１を開いた状態と折り畳んだ状態とでは、カメラ部２１の上下方向が逆になるためであり、折り畳まれた状態では撮影時に画像データを１８０度回転させてから第２メモリ４８に記憶することにより、後にその画像データを第１または第２表示部５，２０のいずれに表示させた場合でも、画像の上下が逆になることがなくなる。ステップＳ１３では、制御部４０が、撮像モードを終了する所定の操作がユーザーによって行われたか否かを判断する。操作が行われていれば処理を終了し、行われていなければステップＳ１０に戻る。撮像モードが終了すると、第１および第２表示部５，２０には所定の待受画面などが表示される。
【００９６】
以上のように、携帯電話機１の開閉を検出することによって、撮像時のファインダーとして使用する表示部が適切に切り換わるので、ユーザーは切り換えのためのボタン操作を行う必要がなく、切り換えのための手間が省かれ、操作性および利便性が向上する。また、携帯電話機１の開閉が検出されることによって、ファインダーとなる表示部と同じ側のシャッターボタンの入力が有効となるので、ファインダーを見ながらシャッターボタンを確実に入力することが可能となり、操作性が向上する。また、ファインダーとなる表示部と反対側のシャッターボタンの入力は無効となるので、誤ってシャッターボタンを押してしまうなどの誤操作を防止することができる。また、携帯電話機１の開閉が検出されることによって、ファインダーとなる表示部のバックライトが点灯するので、画像が見やすくなり、視認性が向上する。さらに、折り畳んだ状態で撮影した場合には、画像データの保存時に画像データを１８０度回転させてから第２メモリ４８に保存するので、後から保存した画像データを表示させた場合に、画像の上下が逆に表示されることを防止することができる。
【００９７】
なお、この撮影モード時において、第２の操作ボタン２４ｂの長押し操作によってライト部２２の点灯が開始され、この点灯状態における第２の操作ボタン２４ｂの長押し操作または所定時間の経過によって停止されるようになっており、さらに点灯状態における第２の操作ボタン２４ｂの短押し操作またはメニュー画面からライト色の変更を選択することでライト色の変更が行われるようになっている。そして、このとき選択できるライト色としては、赤色のＬＥＤ２２Ｒと緑色のＬＥＤ２２Ｇと青色のＬＥＤ２２Ｂの単数または複数発光による単色、およびミックス発光、タイマー発光、レインボー発光、サイクロン発光のような単色発光以外の発光がある。そして、このような単色発光以外の発光を動画撮影時に行うことにより、撮像画像に特殊効果を加えることができ、エンターテイメント性の高い映像を作成することができる。
【００９８】
また、図１〜５において、第１および第２表示部５，２０は、第１の筐体２に配置されている場合を示したが、これに限らず、第１および第２表示部５，２０はそれぞれ、携帯電話機１が折り畳まれたときの内側および外側に位置するように配置すればよい。
【００９９】
さらに、本発明の実施の一形態として上述した携帯電話機１は、折り畳んだ状態で撮影した場合に、撮像画像を１８０度回転して保存することを記載したが、これに限定されるものではなく、開いた状態で撮像した画像を１８０度回転して保存する構成としてもよい。この場合、図９のステップＳ６にて画像データの１８０度回転が行われ、メモリ４８に記憶される。
【０１００】
次に、携帯電話機１の着信ランプ色設定動作を、図９に示す画面例に基づいて説明する。
【０１０１】
待受状態においてマルチガイドボタン１３を操作することでメニュー画面を表示させた後、マルチガイドボタン１３または入力ボタン群７を操作し、表示に関するメニューを選択すると、図９（ａ）に示す表示メニュー画面が表示される。
【０１０２】
そして、図９（ａ）に示すような表示メニュー画面において、マルチガイドボタン１３または入力ボタン群７を操作し、「着信ランプ設定」を選択すると、図９（ｂ）に示す着信ランプ設定メニュー画面が表示される。
【０１０３】
そして、図９（ｂ）に示すような着信ランプ設定メニュー画面において、マルチガイドボタン１３または入力ボタン群７を操作し、「着信ランプ色設定」を選択すると、図９（ｃ）に示す着信ランプ色設定メニュー画面が表示される。なお、図９（ｂ）に示すような着信ランプ設定メニュー画面では、マルチガイドボタン１３によって項目が選択されているとき、その選択項目の現状の設定内容が、メニュー表題の下に表示されるようになっている。
【０１０４】
そして、図９（ｃ）に示すような着信ランプ色設定メニュー画面において、マルチガイドボタン１３または入力ボタン群７を操作し、所望のランプ色を設定すると、図９（ｄ）に示すような着信ランプ設定メニューが表示される。なお、図９（ｃ）に示す着信ランプ色設定メニュー画面における「番号占い」は、相手側電話番号と自局の電話番号の最後の桁の合計の下一桁の数字によりライト色を決定する設定であり、詳細については後述する。
【０１０５】
また、図９（ｂ）に示すような着信ランプ設定メニュー画面において、マルチガイドボタン１３または入力ボタン群７を操作し、「メール着信ランプ色設定」が選択された場合にも同様にしてメール着信時のランプ色が設定される。
【０１０６】
次に、携帯電話機１の通話着信時の動作を、図１０に示すフローチャートに基づいて説明する。
【０１０７】
待受状態において、アンテナ２５、分波器５２、無線部５０、通信制御部５１による図示しない基地局との信号の送受信によって通話着信が検出される（ステップＳ２１のＹｅｓ）と、制御部４０は、着信ランプ色として「番号占い」が設定されているか否か判断する（ステップＳ２２）。
【０１０８】
そして、着信ランプ色として「番号占い」が設定されていないと判断した場合（ステップＳ２２のＮｏ）には、着信ランプ色として設定されているランプ色に基づいて赤色ＬＥＤ２２Ｒ、緑色ＬＥＤ２２Ｇ、青色ＬＥＤ２２Ｂを駆動し、ライト部２２を設定色によって発光させる（ステップＳ２３）。このとき、設定状況に応じて着信メロディーや振動による着信報知を同時に行うと共に、基地局から送られてくる相手側電話番号または相手側電話番号に基づき検索された電子電話帳の相手側名称を第１表示部５または第２表示部２０に表示する。
【０１０９】
そして、ライト部２２が設定色によって発光している状態において、開始／スピーカー受話ボタン１２が操作された場合（ステップＳ２４のＹｅｓ）には、ライト部２２を消光させて（ステップＳ２５）通話状態に移行し、また通話着信が検出されなくなった場合（ステップＳ２６のＮｏ）にも、ライト部２２を消光させて（ステップＳ２７）待受状態に移行する。このとき、設定状況に応じて行われている着信メロディーや振動による着信報知を停止させる。
【０１１０】
一方、着信ランプ色として「番号占い」が設定されていると判断した場合（ステップＳ２２のＹｅｓ）には、基地局から送られてくる相手側電話番号を取得する（ステップＳ２３）が、その相手側電話番号が「公衆電話」や「番号非通知」を表すものである場合（ステップＳ２９のＮｏ）には、予め設定されたランプ色に基づいて赤色ＬＥＤ２２Ｒ、緑色ＬＥＤ２２Ｇ、青色ＬＥＤ２２Ｂを駆動し、ライト部２２を規定色によって発光させ（ステップＳ３０）、以後、開始／スピーカー受話ボタン１２の操作や通話着信の検出を行う（ステップＳ２４〜Ｓ２７）。このとき、設定状況に応じて着信メロディーや振動による着信報知を同時に行うと共に、「公衆電話」または「番号非通知」である旨を第１表示部５または第２表示部２０に表示する。
【０１１１】
また、基地局から送られてくる相手側電話番号が「公衆電話」や「番号非通知」を表すものではなく、通常の電話番号である場合（ステップＳ２９のＹｅｓ）には、自局の電話番号と相手側電話番号の最後の桁を加算し、その加算値の下一桁の数字をＸに置換える（ステップＳ３１）。
【０１１２】
そして、置換値Ｘが「０」または「１」である場合（ステップＳ３２のＹｅｓ）には、後述する動作フロー（図１２）に基づいて赤色ＬＥＤ２２Ｒ、緑色ＬＥＤ２２Ｇ、青色ＬＥＤ２２Ｂを駆動し、ライト部２２をミックス発光させ（ステップＳ３３）、以後、開始／スピーカー受話ボタン１２の操作や通話着信の検出を行う（ステップＳ２４〜Ｓ２７）。このとき、設定状況に応じて着信メロディーや振動による着信報知を同時に行うと共に、基地局から送られてくる相手側電話番号または相手側電話番号に基づき検索された電子電話帳の相手側名称を第１表示部５または第２表示部２０に表示する。
【０１１３】
また、置換値Ｘが「２」または「３」である場合（ステップＳ３４のＹｅｓ）には、後述する動作フロー（図１３）に基づいて赤色ＬＥＤ２２Ｒ、青色ＬＥＤ２２Ｂを駆動し、ライト部２２をタイマー発光させ（ステップＳ３５）、以後、開始／スピーカー受話ボタン１２の操作や通話着信の検出を行う（ステップＳ２４〜Ｓ２７）。このとき、設定状況に応じて着信メロディーや振動による着信報知を同時に行うと共に、基地局から送られてくる相手側電話番号または相手側電話番号に基づき検索された電子電話帳の相手側名称を第１表示部５または第２表示部２０に表示する。
【０１１４】
また、置換値Ｘが「４」または「５」である場合（ステップＳ３６のＹｅｓ）には、後述する動作フロー（図１４）に基づいて赤色ＬＥＤ２２Ｒ、緑色ＬＥＤ２２Ｇ、青色ＬＥＤ２２Ｂを駆動し、ライト部２２をレインボー発光させ（ステップＳ３７）、以後、開始／スピーカー受話ボタン１２の操作や通話着信の検出を行う（ステップＳ２４〜Ｓ２７）。このとき、設定状況に応じて着信メロディーや振動による着信報知を同時に行うと共に、基地局から送られてくる相手側電話番号または相手側電話番号に基づき検索された電子電話帳の相手側名称を第１表示部５または第２表示部２０に表示する。
【０１１５】
また、置換値Ｘが「６」または「７」である場合（ステップＳ３８のＹｅｓ）には、後述する動作フロー（図１５）に基づいて赤色ＬＥＤ２２Ｒ、緑色ＬＥＤ２２Ｇ、青色ＬＥＤ２２Ｂを駆動し、ライト部２２をサイクロン発光させ（ステップＳ３９）、以後、開始／スピーカー受話ボタン１２の操作や通話着信の検出を行う（ステップＳ２４〜Ｓ２７）。このとき、設定状況に応じて着信メロディーや振動による着信報知を同時に行うと共に、基地局から送られてくる相手側電話番号または相手側電話番号に基づき検索された電子電話帳の相手側名称を第１表示部５または第２表示部２０に表示する。
【０１１６】
さらに、置換値Ｘが「８」または「９」である場合（ステップＳ３８のＮｏ）には、青色ＬＥＤ２２Ｂを駆動し、ライト部２２を青色発光させ（ステップＳ４０）、以後、開始／スピーカー受話ボタン１２の操作や通話着信の検出を行う（ステップＳ２４〜Ｓ２７）。このとき、設定状況に応じて着信メロディーや振動による着信報知を同時に行うと共に、基地局から送られてくる相手側電話番号または相手側電話番号に基づき検索された電子電話帳の相手側名称を第１表示部５または第２表示部２０に表示する。
【０１１７】
したがって、上述の動作制御によれば、通話着信時において、基地局からの相手側電話番号と自局の電話番号とに基づいて着信ランプ色が設定されるため、着信相手との相性占い的に着信ランプを用いることができ、通話着信時におけるエンターテイメント性を向上することができると共に、繰返し使用によって着信相手の特定をも行うことができる。
【０１１８】
なお、上述の動作制御では、自局の電話番号と相手側電話番号の最後の桁を加算し、その加算値の下一桁の数字をライト色の設定に用いるようにしたが、これに限定されるものではなく、全てまたは任意桁の電話番号を加算し、その加算値の所定桁の数字を用いるようにし、その所定桁をランダムに選択するようにしても良く、このようなランダム性をもたせることで、占い的要素の向上を図ることができ、エンターテイメント性をより向上することができる。
【０１１９】
また、自局の電話番号と相手側電話番号の他に、日付や時刻等の可変パラメータを追加で用いるようにしても良く、このような可変パラメータを追加で用いるようにすることで、占い的要素の向上を図ることができ、エンターテイメント性をより向上することができる。
【０１２０】
さらに、相手側電話番号から事前登録された電子電話帳を検索し、電話番号が一致する相手の生年月日と、個人情報として登録したユーザーの生年月日とから相性を診断し、その診断結果に基づいてライト色を決定するようにしても良く、このように生年月日を用いることで、占い的要素の信憑性を高めることができ、エンターテイメント性をより向上することができる。
【０１２１】
次に、携帯電話機１のミックス発光動作を、図１１に示すフローチャートに基づいて説明する。
【０１２２】
撮影モード時において第２の操作ボタン２４ｂの長押し操作によってライト部２２の点灯が開始され、初期設定または第２の操作ボタン２４ｂの短押し操作によりライト色としてミックス発光が選択されたとき、通話着信時の着信ランプとしてミックス発光が選択された状態において通話着信があったとき、通話着信時の着信ランプとして番号占いが選択され、着信時の相手側情報と自局の個人情報とから着信ランプ色としてミックス発光が選択されたとき、このミックス発光動作が開始される。
【０１２３】
そして、ミックス発光動作が開始されると、制御部４０は赤色ＬＥＤ２２Ｒを駆動し（ステップＳ７１）、その後、所定時間が経過した後（ステップＳ７２のＹｅｓ）に緑色ＬＥＤ２２Ｇを駆動する（ステップＳ７３）。
【０１２４】
その緑色ＬＥＤ２２Ｇの駆動が開始されてから所定時間が経過した後（ステップＳ７４のＹｅｓ）に赤色ＬＥＤ２２Ｒの駆動を停止し（ステップＳ７５）、その後、所定時間が経過した後（ステップＳ７６のＹｅｓ）に青色ＬＥＤ２２Ｂを駆動する（ステップＳ７７）。
【０１２５】
その青色ＬＥＤ２２Ｂの駆動が開始されてから所定時間が経過した後（ステップＳ７８のＹｅｓ）に緑色ＬＥＤ２２Ｇの駆動を停止し（ステップＳ７９）、その後、所定時間が経過した後（ステップＳ８０のＹｅｓ）に赤色ＬＥＤ２２Ｒを駆動する（ステップＳ８１）。
【０１２６】
その赤色ＬＥＤ２２Ｒの駆動が開始されてから所定時間が経過した後（ステップＳ８２のＹｅｓ）に青色ＬＥＤ２２Ｂの駆動を停止し（ステップＳ８３）、以後、上述の動作制御（ステップＳ７２〜Ｓ８３）を繰り返す。
【０１２７】
したがって、上述の動作制御によれば、ライト部２２を  赤色→黄色→緑色→水色→青色→紫色→赤色  の順で発光させることができ、ライト部２２の視覚的効果を向上することができる。
【０１２８】
なお、上記動作制御では、赤色ＬＥＤ２２Ｒ、緑色ＲＥＤ２２Ｇ、青色ＬＥＤ２２Ｂの順に駆動・停止を行うようにしたが、これに限定されるものではなく、他の駆動順序としてもよく、またＬＥＤとして赤色、緑色、青色以外のものを用いるようにしてもよい。
【０１２９】
次に、携帯電話機１のタイマー発光動作を、図１２に示すフローチャートに基づいて説明する。
【０１３０】
撮影モード時において第２の操作ボタン２４ｂの長押し操作によってライト部２２の点灯が開始され、初期設定または第２の操作ボタン２４ｂの短押し操作によりライト色としてタイマー発光が選択されたとき、通話着信時の着信ランプとしてタイマー発光が選択された状態において通話着信があったとき、通話着信時の着信ランプとして番号占いが選択され、着信時の相手側情報と自局の個人情報とから着信ランプ色としてタイマー発光が選択されたとき、このタイマー発光動作が開始される。
【０１３１】
そして、タイマー発光動作が開始されると、制御部４０は青色ＬＥＤ２２Ｂを駆動し（ステップＳ９１）、その後、所定時間が経過した後（ステップＳ９２のＹｅｓ）に青色ＬＥＤ２２Ｂの駆動を停止する（ステップＳ９３）。また、時間Ｔから時間Ｘを差分して得た値を新たな時間Ｔとする（ステップＳ９４）と共に、赤色ＬＥＤ２２Ｒを駆動する（ステップＳ９５）。
【０１３２】
その後、時間Ｔが経過する毎（ステップＳ９７，Ｓ９９のＹｅｓ）に赤色ＬＥＤ２２Ｒの停止（ステップＳ９８）と駆動（ステップＳ９５）とを繰り返し、この繰り返し動作中において所定時間が経過する毎（ステップＳ９６，Ｓ９９のＹｅｓ）に時間Ｔから時間Ｘを差分し新たな時間Ｔとし（ステップＳ９４）、以後、上述の動作制御（ステップＳ９４〜Ｓ１００）を繰り返す。
【０１３３】
したがって、「上述の動作制御によれば、ライト部２２を  青色→赤色の点滅の順で発光させることができ、かつ赤色の点滅を時間経過にしたがって早めることができ、カラータイマのような発光を行うことができる。
【０１３４】
なお、上述の動作制御では、青色ＬＥＤ２２Ｂと赤色ＬＥＤ２２Ｒとを用いるようにしたが、これに限定されるものではなく、緑色ＬＥＤ２２Ｇを用いるようにしてもよく、またＬＥＤとして赤色、緑色、青色以外のものを用いるようにしてもよい。
【０１３５】
次に、携帯電話機１のレインボー発光動作を、図１３に示すフローチャートに基づいて説明する。
【０１３６】
撮影モード時において第２の操作ボタン２４ｂの長押し操作によってライト部２２の点灯が開始され、初期設定または第２の操作ボタン２４ｂの短押し操作によりライト色としてレインボー発光が選択されたとき、通話着信時の着信ランプとしてレインボー発光が選択された状態において通話着信があったとき、通話着信時の着信ランプとして番号占いが選択され、着信時の相手側情報と自局の個人情報とから着信ランプ色としてレインボー発光が選択されたとき、このレインボー発光動作が開始される。
【０１３７】
そして、レインボー発光動作が開始されると、制御部４０は赤色ＬＥＤ２２Ｒ、緑色ＬＥＤ２２Ｇ，青色ＬＥＤ２２Ｂをそれぞれ弱電流によって駆動し（ステップＳ１０１〜Ｓ１０３）、その後、所定時間が経過した後（ステップＳ１０４のＹｅｓ）に赤色ＬＥＤ２２Ｒを強電流によって駆動する（ステップＳ１０５）。
【０１３８】
その赤色ＬＥＤ２２Ｒの強電流駆動が開始されてから所定時間が経過した後（ステップＳ１０６のＹｅｓ）に緑色ＬＥＤ２２Ｇを強電流によって駆動し（ステップＳ１０７）、その後、所定時間が経過した後（ステップＳ１０８のＹｅｓ）に赤色ＬＥＤ２２Ｒを弱電流駆動に切り換える（ステップＳ１０９）。
【０１３９】
その赤色ＬＥＤ２２Ｒの弱電流駆動が開始されてから所定時間が経過した後（ステップＳ１１０のＹｅｓ）に青色ＬＥＤ２２Ｂを強電流によって駆動し（ステップＳ１１１）、その後、所定時間が経過した後（ステップＳ１１２のＹｅｓ）に緑色ＬＥＤ２２Ｇを弱電流駆動に切り換える（ステップＳ１１３）。
【０１４０】
その緑色ＬＥＤ２２Ｒの弱電流駆動が開始されてから所定時間が経過した後（ステップＳ１１４のＹｅｓ）に赤色ＬＥＤ２２Ｒを強電流によって駆動し（ステップＳ１１５）、その後、所定時間が経過した後（ステップＳ１１６のＹｅｓ）に青色ＬＥＤ２２Ｇを弱電流駆動に切り換え（ステップＳ１１７）、以後、上述の動作制御（ステップＳ１０６〜Ｓ１１７）を繰り返す。
【０１４１】
したがって、上述の動作制御によれば、ライト部２２を、赤色→黄色→緑色→水色→青色→紫色→赤色  の順でグラデーション発光させることができ、ライト部２２の視覚的効果を向上することができる。
【０１４２】
なお、上記動作制御では、赤色ＬＥＤ２２Ｒ、緑色ＲＥＤ２２Ｇ、青色ＬＥＤ２２Ｂの順に強電流駆動と弱電流駆動を２段階で切り換えるようにしたが、これに限定されるものではなく、他の駆動順序としたり３段階以上に切り換えるようにしてもよく、またＬＥＤとして赤色、緑色、青色以外のものを用いるようにしてもよい。
【０１４３】
次に、携帯電話機１のサイクロン発光動作を、図１４に示すフローチャートに基づいて説明する。
【０１４４】
撮影モード時において第２の操作ボタン２４ｂの長押し操作によってライト部２２の点灯が開始され、初期設定または第２の操作ボタン２４ｂの短押し操作によりライト色としてサイクロン発光が選択されたとき、通話着信時の着信ランプとしてサイクロン発光が選択された状態において通話着信があったとき、通話着信時の着信ランプとして番号占いが選択され、着信時の相手側情報と自局の個人情報とから着信ランプ色としてサイクロン発光が選択されたとき、このサイクロン発光動作が開始される。
【０１４５】
そして、サイクロン発光動作が開始されると、制御部４０は、時間Ｔから時間Ｘを差分して得た値を新たな時間Ｔとする（ステップＳ１２１）と共に、赤色ＬＥＤ２２Ｒを弱電流によって駆動し（ステップＳ１２２）、その後、Ｔ時間が経過した後（ステップＳ１２３のＹｅｓ）に赤色ＬＥＤ２２Ｒの駆動を停止すると共に、緑色ＬＥＤ２２Ｇを弱電流によって駆動する（ステップＳ１２４）。
【０１４６】
その緑色ＬＥＤ２２Ｇの弱電流駆動が開始されてからＴ時間が経過した後（ステップＳ１２６のＹｅｓ）に緑色ＬＥＤ２２Ｇの駆動を停止する（ステップＳ１２７）と共に、青色ＬＥＤ２２Ｂを弱電流によって駆動する（ステップＳ１２８）。
【０１４７】
その青色ＬＥＤ２２Ｂの弱電流駆動が開始されてから所定時間が経過した後（ステップＳ１２９のＹｅｓ）に青色ＬＥＤ２２Ｂの駆動を停止する（ステップＳ１３０）と共に、時間Ｔが時間Ｔｍｉｎと一致するか否か判断する（ステップＳ１３１）。
【０１４８】
そして、時間Ｔが時間Ｔｍｉｎと一致しない場合（ステップＳ１３１のＮｏ）には、時間Ｔから時間Ｘを差分して得た値を新たな時間Ｔとする点から上述の動作制御（ステップＳ１２１〜Ｓ１３１）を繰り返し、また時間Ｔが時間Ｔｍｉｎと一致する場合（ステップＳ１３１のＹｅｓ）には、赤色ＬＥＤ２２Ｒを弱電流駆動する点から上述の動作制御（ステップＳ１２２〜Ｓ１３１）を繰り返す。
【０１４９】
したがって、上述の動作制御によれば、ライト部２２を、赤色→緑色→青色→赤色  の順に回転しているように発光させることができ、ライト部２２の視覚的効果を向上することができる。
【０１５０】
なお、上記動作制御では、赤色ＬＥＤ２２Ｒ、緑色ＲＥＤ２２Ｇ、青色ＬＥＤ２２Ｂの順に弱電流駆動を行うようにしたが、これに限定されるものではなく、他の駆動順序としてもよく、またＬＥＤとして赤色、緑色、青色以外のものを用いるようにしてもよい。
【０１５１】
また、本発明の実施の一形態として携帯電話機１について説明したが、これに限らず、ノート型ＰＣ（パーソナルコンピュータ）、ＰＤＡ（Ｐｅｒｓｏｎａｌ  Ｄｉｇｉｔａｌ  Ａｓｓｉｓｔａｎｃｅ）などであって、折り畳み可能に構成され、撮像部と折り畳まれたときの内側および外側にそれぞれ表示部を備える構成であれば、本発明は適用可能である。
【０１５２】
また、表示部５，２０をファインダーとして使用する場合に限らず、所定の表示を表示部５，２０に表示させる場合に、表示させる表示部の切り換えを携帯電話機１の開閉を検出して行うようにしてもよい。
【０１５３】
さらに、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１５４】
【発明の効果】
以上のように、本発明によれば、着信時において、第１の筐体と前記第２の筐体が閉成状態にあるとき外側となる面に配置されたライト部を、その着信に応答して受信される相手側情報と自局の個人情報とに基づく発光色によって点灯または点滅させることにより、相手側とユーザとの関係を意識した着信報知を行うことができるため、着信報知時のエンターテイメント性を高めることができる。
【０１５５】
また、本発明によれば、ライト部の点灯または点滅時において、第１の筐体と前記第２の筐体が閉成状態にあるときにライト部と同一面上となるように配置された外側表示部に、着信に応答して受信される相手側情報に対応して記憶された電話帳メモリ部の相手側名称を表示させることにより、相手側とユーザとの関係を意識した着信報知を行うときに、その相手側を確実に報知することができるため、着信報知時のエンターテイメント性をより高めることができる。
【０１５６】
また、本発明によれば、第１の発光色が設定されとき、ライト部を所定時間経過毎に異なる色で点灯させることにより、様々な発色による発光を行うことができるため、ライト部を用いたエンターテイメント性を高めることができる。
【０１５７】
また、本発明によれば、第２の発光色が設定されとき、ライト部を青色で点灯させ、その後、所定時間が経過したとき、ライト部を赤色で点滅させると共に、その点滅間隔を所定時間経過毎に短くすることにより、カラータイマのような発光を行うことができるため、ライト部を用いたエンターテイメント性を高めることができる。
【０１５８】
また、本発明によれば、第３の発光色が設定されたとき、ライト部を構成する発光色の異なる複数の発光ダイオードを複数駆動した状態で当該発光ダイオードの輝度を時間経過にしたがって各々変更させることにより、グラデーション発光を行うことができるため、ライト部を用いたエンターテイメント性を高めることができる。
【０１５９】
また、本発明によれば、第４の発光色が設定されたとき、ライト部を構成する略円周上に配置された発光色の異なる複数の発光ダイオードを時計回りまたは反時計回りに順次単一駆動させることにより、サイクロン式の発光を行うことができるため、ライト部を用いたエンターテイメント性を高めることができる。
【０１６０】
また、本発明によれば、ダイオードを時計回りまたは反時計回りに順次単一駆動させるとき、時間経過にしたがって発光ダイオードの駆動時間を短くすることにより、サイクロン式発光のエンターテイメント性を高めることができるため、ライト部を用いたエンターテイメント性をより高めることができる。
【０１６１】
さらに、本発明によれば、撮像部による撮影状態においてライトキーが操作されたとき、予め設定された発光色によってライト部を点灯させることにより、特殊な発光を行った状態で撮影を行うことができるため、撮影時のエンターテイメント性を高めることができる。
【図面の簡単な説明】
【図１】本実施の形態に係る携帯電話機の外観斜視図である。
【図２】本実施の形態に係る携帯電話機の背面側からの外観斜視図である。
【図３】本実施の形態に係る携帯電話機の折り畳んだ状態での外観斜視図である。
【図４】本実施の形態に係る携帯電話機の折り畳んだ状態での外観側面図である。
【図５】本実施の形態に係る携帯電話機の要部の構成を示す背面側からの外観正面図である。
【図６】本実施の形態に係る携帯電話機の利用方法を示す説明図である。
【図７】本実施の形態に係る携帯電話機の構成を示すブロック図である。
【図８】本実施の形態に係る携帯電話機の撮像処理を示すフローチャートである。
【図９】本実施の形態に係る携帯電話機の着信ランプ設定時の画面例を示す説明図である。
【図１０】本実施の形態に係る携帯電話機の通話着信処理を示すフローチャートである。
【図１１】本実施の形態に係る携帯電話機のミックス発光処理を示すフローチャートである。
【図１２】本実施の形態に係る携帯電話機のタイマー発光処理を示すフローチャートである。
【図１３】本実施の形態に係る携帯電話機のレインボー発光処理を示すフローチャートである。
【図１４】本実施の形態に係る携帯電話機のサイクロン発光処理を示すフローチャートである。
【図１５】従来の携帯電話機の外観斜視図である。
【図１６】従来の携帯電話機の背面側からの外観斜視図である。
【図１７】従来の携帯電話機の折り畳んだ状態での外観斜視図である。
【図１８】従来の携帯電話機の折り畳んだ状態での外観側面図である。
【図１９】従来の携帯電話機の利用方法を示す説明図である。
【符号の説明】
１    携帯電話機
２    第１の筐体
３    第２の筐体
４    ヒンジ
５    第１表示部
１０  第１のシャッターボタン
２０  第２表示部
２１  カメラ部
２２  ライト部
２３  第２のシャッターボタン
２４  第２の操作ボタン群
２５  アンテナ部
２６  ヘリカル部
４０  制御部
４２  第１メモリ
４８  第２メモリ
４９  開閉検出部
【図１】
2004343180.tif 000003
【図２】
2004343180.tif 000004
【図３】
2004343180.tif 000005
【図４】
2004343180.tif 000006
【図５】
2004343180.tif 000007
【図６】
2004343180.tif 000008
【図７】
2004343180.tif 000009
【図８】
2004343180.tif 000010
【図９】
2004343180.tif 000011
【図１０】
2004343180.tif 000012
【図１１】
2004343180.tif 000013
【図１２】
2004343180.tif 000014
【図１３】
2004343180.tif 000015
【図１４】
2004343180.tif 000016
【図１５】
2004343180.tif 000017
【図１６】
2004343180.tif 000018
【図１７】
2004343180.tif 000019
【図１８】
2004343180.tif 000020
【図１９】
2004343180.tif 000021